(57)【要約】【課題】  本発明は、照明光学系と投射光学系のそれぞれに絞りが設けられている構成において、投射レンズが昇温してしまうことで投射画像の品位の低下を防止しつつも、高コントラストな映像を投射することができる投射型表示装置を提供することを目的としている。【解決手段】  検知手段で検知された温度または光量に応じて照明光学系側の絞りを絞ることにより、必要なタイミングに照明光学系側の絞りを絞ることができる。すなわち、投射レンズが昇温してしまうことで投射画像の品位が低下することを防止しつつも、高コントラストな映像を投射することができる投射型表示装置を提供することができる。【選択図】  図４
2020030381.tif 000002
【特許請求の範囲】
【請求項１】
光源から出射された光を、入力された映像信号に基づいて変調する光変調素子と、
前記光変調素子で変調された光を被投射面に投射する投射レンズと、
前記光源と前記光変調素子との間に設けられ、前記光源からの光の一部を遮光するための第１の絞り手段と、
前記投射レンズに設けられ、前記投射レンズから投射される光の一部を遮光するための第２の絞り手段と、
前記第２の絞り手段の温度を検知するための検知手段と、
前記第１の絞り手段及び前記第２の絞り手段を制御する制御手段と、を有する投射型表示装置であって、
前記制御手段は、前記検知手段で検知された温度に応じて、前記第１の絞り手段を制御することを特徴とする投射型表示装置。
【請求項２】
前記制御手段は、前記検知手段で検知された温度が閾値以上である場合に、前記第１の絞り手段を絞ることを特徴とする請求項１に記載の投射型表示装置。
【請求項３】
光源から出射された光を、入力された映像信号に基づいて変調する光変調素子と、
前記光変調素子で変調された光を被投射面に投射する投射レンズと、
前記光源と前記光変調素子との間に設けられ、前記光源からの光の一部を遮光するための第１の絞り手段と、
前記投射レンズに設けられ、前記投射レンズから投射される光の一部を遮光するための第２の絞り手段と、
前記第２の絞り手段の遮る光量を検知するための検知手段と、
前記第１の絞り手段及び前記第２の絞り手段を制御する制御手段と、を有する投射型表示装置であって、
前記制御手段は、前記検知手段で検知された光量に応じて、前記第１の絞り手段を制御することを特徴とする投射型表示装置。
【請求項４】
前記制御手段は、前記映像信号に基づく画像の輝度を示す情報に応じて前記第２の絞り手段を制御することを特徴とする請求項１乃至３のいずれか１項に記載の投射型表示装置。
【請求項５】
前記制御手段は、前記映像信号に基づく画像の輝度を示す情報から、入力された前記映像信号が暗い画像であると判断されるときに、前記第２の絞り手段を絞ることを特徴とする請求項４に記載の投射型表示装置。
【請求項６】
前記制御手段は、前記第２の絞り手段を絞る際に、入力された前記映像信号の輝度値より高い輝度値で被投射面に投射されるように制御することを特徴とする請求項４または５に記載の投射型表示装置。
【請求項７】
前記第２の絞り手段が全開状態から全閉状態に移行するのにかかる時間は、前記第１の絞り手段が全開状態から全閉状態に移行するのにかかる時間よりも短いことを特徴とする請求項１乃至６のいずれか１項に記載の投射型表示装置。
【発明の詳細な説明】
【技術分野】
【０００１】
本発明は、投射型表示装置に関するものである。
【背景技術】
【０００２】
プロジェクタ装置においては、光源から出射される光を絞ることで、高コントラストな画像を投射することができる。特許文献１には、照明光学系と投射レンズにそれぞれ絞り手段が設けられているプロジェクタ装置の例が開示されている。
【先行技術文献】
【特許文献】
【０００３】
【特許文献１】特開平０７−２７０７１９号公報
【発明の概要】
【発明が解決しようとする課題】
【０００４】
動画のような明るい画像と暗い画像が適宜切り替わるような映像を投射するプロジェクタにおいては、コントラストやダイナミックレンジを広げるために、適宜投射画像に合わせて絞りの調整を行う必要がある。具体的にはリアルタイムで映像の輝度を解析し、輝度変化に応じて絞りを制御し、さらに輝度値を補正して投射することで暗い画像であったとしても高コントラストな画像として投射することができる。
【０００５】
特許文献１のような２つの絞りが設けられている構成において、このような絞りの制御を行う場合には、投射レンズの絞りで調整した方が漏れ光も遮光することができるため高コントラストな画像を提供できる。しかしながら、投射レンズの絞りで光を遮光し続けていると、絞り自体が遮った光で熱せられ昇温してしまう。これに伴い投射レンズのレンズ部品も昇温するとレンズの屈折率が変動し、スクリーン上に表示される画像の位置ずれやピントずれといった品位の低下が懸念される。このような影響を低減するためには、投射レンズをファンなどで冷却する方法も考えられるが、投射レンズ内に粉塵が侵入する可能性があるため好ましくない。
【０００６】
そして、照明光学系の絞りを絞ると投射レンズで遮る光量が減少するため、映像の輝度に合わせて照明光学系の絞りも常に開閉制御することで、投射レンズ絞りの昇温を防止することも考えられる。しかし、照明光学系の絞りは投射レンズ絞りに比べ全開から全閉に時間がかかるため、投射画像の明暗の切り替えに合わせたリアルタイムの調整が行えない懸念があり、常に照明光学系の絞りを絞る制御は好ましくない。
【０００７】
そこで本発明は、照明光学系と投射光学系のそれぞれに絞りが設けられている構成において、投射レンズの昇温による投射画像の品位の低下を防止しつつも、高コントラストな映像を投射することができる投射型表示装置を提供することを目的としている。
【課題を解決するための手段】
【０００８】
上記目的を達成するために、光源から出射された光を、入力された映像信号に基づいて変調する光変調素子と、前記光変調素子で変調された光を被投射面に投射する投射レンズと、前記光源と前記光変調素子との間に設けられ、前記光源からの光の一部を遮光するための第１の絞り手段と、前記投射レンズに設けられ、前記投射レンズから投射される光の一部を遮光するための第２の絞り手段と、前記第２の絞り手段の温度を検知するための検知手段と、前記第１の絞り手段及び前記第２の絞り手段を制御する制御手段と、を有する投射型表示装置であって、前記制御手段は、前記検知手段で検知された温度に応じて、前記第１の絞り手段を制御する。
【０００９】
また、上記目的を達成するために、光源から出射された光を、入力された映像信号に基づいて変調する光変調素子と、前記光変調素子で変調された光を被投射面に投射する投射レンズと、前記光源と前記光変調素子との間に設けられ、前記光源からの光の一部を遮光するための第１の絞り手段と、前記投射レンズに設けられ、前記投射レンズから投射される光の一部を遮光するための第２の絞り手段と、前記第２の絞り手段の遮る光量を検知するための検知手段と、前記第１の絞り手段及び前記第２の絞り手段を制御する制御手段と、を有する投射型表示装置であって、前記制御手段は、前記検知手段で検知された光量に応じて、前記第１の絞り手段を制御することを特徴とする。
【発明の効果】
【００１０】
照明光学系と投射光学系のそれぞれに絞りが設けられている構成において、投射レンズが昇温することで投射画像の品位が低下することを防止しつつも、高コントラストな映像を投射することができる投射型表示装置を提供することができる。
【図面の簡単な説明】
【００１１】
【図１】本発明にかかるプロジェクタ装置の概略図である。
【図２】本発明にかかるプロジェクタ装置の制御ブロック図である。
【図３】（ａ）投射光学系の絞りを絞った様子を示す図である。（ｂ）照明光学系側の絞りを絞った様子を示す図である。
【図４】第１の実施形態にかかる絞りの制御を説明するためのフローチャートである。
【図５】照明光学系の絞りを絞る様子を説明する図である。
【図６】投射光学系の絞りを絞る様子を説明する図である。
【図７】第２の実施形態にかかる絞りの制御を説明するためのフローチャートである。
【発明を実施するための形態】
【００１２】
以下、図面を参照して、本発明の実施形態を詳細に説明する。
【００１３】
（第１の実施形態）
本実施形態では、反射型液晶表示素子を光変調素子として用いたプロジェクタ装置（投射型表示装置）を用いて説明する。しかし本発明はそれ以外の光変調素子、例えば、ＤＭＤ（Ｄｉｇｉｔａｌ  Ｍｉｒｒｏｒ  Ｄｅｖｉｃｅ）、透過型液晶表示素子を用いたプロジェクタ装置に適用することも可能である。
【００１４】
まず照明光学系の構成について図１を参照して説明を行う。
【００１５】
プロジェクタ装置（投射型表示装置）で用いられる光源は、白色光を出力する光源であり、例えば超高圧水銀ランプ、キセノンランプ、レーザー、ＬＥＤなどを用いることができる。光源の光源バルブ１から出射された白色光は、反射鏡２で反射され、平行光としてフライアイレンズ３及びフライアイレンズ４に入射され分割される。その後ＰＳ変換素子５により、ランダム偏光がＰ偏光に揃えられ出射される。
【００１６】
次に、白色光は、コンデンサレンズ６によって集光されたのち、ダイクロイックミラー７により、緑（以下Ｇと記載）成分光と赤（以下Ｒと記載）、青（以下Ｂと記載）成分光とに分離される。そしてＧ成分光は、１／２波長板８によってＳ偏光に変換され、偏光ビームスプリッタ９に入射し、偏光分離面で反射して１／４波長板１０を通過した後、緑成分光の液晶表示素子１１に供給される。またＲ成分光及びＢ成分光もそれぞれ、カラーセレクト素子１２に入射し、Ｒ成分光はＰ偏光に変換され、Ｂ成分光はそのままＳ偏光で偏光ビームスプリッタ１３に入射する。Ｓ偏光のＢ成分光は、偏光ビームスプリッタ１３の偏光分離面で反射し、Ｐ偏光のＲ成分光は偏光分離面を通過し、それぞれ１／４波長板１４、１６を通過した後に、赤成分光の液晶表示素子１５と青成分光の１７に供給される。
【００１７】
Ｇ、Ｒ、Ｂの成分光はそれぞれの液晶表示素子１１、１５、１７により、入力映像信号に応じて偏光が制御され、再度、偏光ビームスプリッタ９、１３に戻る。
【００１８】
そして、偏光ビームスプリッタ９、１３で、偏光状態により投射光として色合成プリズム１８へ供給される成分光と、光源方向へ戻る成光分とに分離される。色合成プリズム１８は、それぞれのＧ、Ｒ、Ｂ成分光（投射光）を合成し合成光として投射光学系２００（投射レンズ系）に供給する。供給された合成光は、投射レンズの入射側レンズ部品１９ａ、１９ｂ、絞り部２１、出射側レンズ部品２０ａ、２０ｂを通過した後にスクリーン等の被投射面に投射され画像が投射される。
【００１９】
照明光学系の絞りとして、フライアイレンズ３とフライアイレンズ４との間、すなわち光源と液晶表示素子との間には、フライアイレンズ３により分割された光束を遮光する絞り羽根２５（第１の絞り手段）が設けられている。当該絞り羽根２５は、複数の羽根が照明光学系の光軸に対して対称となるように設けられており、ギア部２７を支点として照明光学系絞りモータ２６（ギアドモータ）を回転させることで、光源からの光の一部を遮光できるように構成されている。なお絞り羽根２５は、１つの照明光学系絞りモータ２６で制御してもよいし、複数用いて制御してもよい。
【００２０】
図５は、このような絞り羽根２５が光束を絞る様子を示した図であり、絞り羽根２５の絞り制御の様子を光軸方向に沿ってコンデンサレンズ６側から見た図である。図５（ａ）は、絞り羽根２５がおおむね開いている状態であり、フライアイレンズ３を通過した大半の光が投射光学系２００に入射される。図５（ｂ）は、図５（ａ）に比べて絞り羽根２５が絞られている状態であり、フライアイレンズ３の光軸中心部の瞳を通過した光の一部しか投射光学系２００に入射されない。図５（ｃ）は図５（ｂ）の絞り羽根２５とフライアイレンズ３の位置関係をわかりやすくした図である。フライアイレンズ３には、例えば５×５の瞳数に分割されているフライアイが設けられており、絞り羽根２５がフライアイレンズ３の目をいくつ遮光するかによって照明光学系のＦ値を調整できる。
【００２１】
次に、投射光学系２００について、図１を用いて説明する。
【００２２】
投射光学系２００（投射レンズ）は、複数のレンズ部品１９ａ、１９ｂ、２０ａ、２０ｂが組み合わされることで構成されている。そして投射光学系２００の絞りとして、レンズ部品１９ｂとレンズ部品２０ａとの間に、投射レンズから被投射面へ投射される光の一部を遮光する投射レンズ絞り３０（第２の絞り手段）が設けられている。当該投射レンズ絞り３０は、絞り保持板２８に保持されて投射光学系２００の瞳位置に配置されており、投射光学系絞りモータ２９（ギアドモータ）で駆動されることで、スクリーンに投射される光の一部を遮光することができる。なお投射レンズ絞り３０は、１つの投射光学系絞りモータ２９で制御してもよいし、複数用いて制御してもよい。投射レンズ絞り３０の近傍には、投射レンズ絞り３０やレンズ部品１９ａ、１９ｂ、２０ａ、２０ｂの温度を測定することができる温度検知手段３２が設けられている。
【００２３】
図６は、このような投射レンズ絞り３０が光束を絞る様子を示した図であり、投射レンズ絞り３０の絞り制御の様子を光軸方向に沿ってスクリーン側から見た図である。図６（ａ）は、投射レンズ絞り３０がおおむね開いている状態で光束２１ａがすべて絞り部２１を通過している様子を示しており、図６（ｂ）は投射レンズ絞り３０が絞られている状態で光束２１ａの一部が絞り部２１を通過している様子を示している。図６（ｃ）は、図６（ｂ）の投射レンズ絞り３０と光束２１ａの位置関係をわかりやすくした図である。
【００２４】
図２は、本発明にかかるプロジェクタ装置の制御ブロック図である。プロジェクタ装置１００には制御ユニット１２０が設けられており、プロジェクタ制御手段３１と輝度解析手段４０を有している。ＰＣなどの外部入力機器から映像信号が送信されてくると、プロジェクタ制御手段３１は、投射表示するための画像データを生成し、生成された画像データが表示されるように液晶表示素子１１、１５、１７を表示制御する。制御ユニット１２０の輝度解析手段４０は、入力された映像信号の輝度解析を実施する。具体的には、輝度解析手段４０は、映像信号の輝度ヒストグラムをフレームごとにリアルタイムに検知し、明るい画像か暗い画像かを判断するための映像信号の輝度を示す情報を特定する。プロジェクタ制御手段３１は、温度検知手段３２で検知された温度と輝度解析手段４０による輝度解析の結果に応じて、投射光学系絞りモータ２９と照明光学系絞りモータ２６の制御を行う。つまり絞り羽根２５と投射レンズ絞り３０の絞り制御を行う。これらの絞り制御の詳細については後述する。
【００２５】
次に、本発明における照明系絞り及び投射光学系絞りの効果について説明する。図３（ａ）は、絞り羽根２５（第１の絞り手段）がおおむね開いている状態で、投射レンズ絞り３０（第２の絞り手段）が絞られている状態を示している。図３（ｂ）は、絞り羽根２５（第１の絞り手段）が絞られている状態で、投射レンズ絞り３０（第２の絞り手段）も絞られている状態を示している。
【００２６】
図３（ａ）に示すように投射レンズ絞り３０だけを絞ってコントラストを上げようとすると、投射レンズ絞り３０だけで色分離合成系を通過してきた光を遮ることになるため、長時間この状態が継続すると投射レンズ絞りが温度上昇してしまう。
【００２７】
また、照明光学系のフライアイレンズ４は、フライアイレンズ３と同じ目に設定されており、それぞれの目同士が光軸上で対応するように設けられているため、フライアイレンズ３を出射した光はほぼフライアイレンズ４に入射し、色分離合成系へと送られる。しかしながら光源から平行に出射されていない不要光もフライアイレンズ３に入射してしまう場合があり、そのような光はフライアイレンズ４の異なる目を通過し漏れ光として、投射レンズ側に設けられたレンズ部品に照射される。さらに、偏光ビームスプリッタ９，１３に入射した光の一部は、反射せずに偏光膜を透過してしまう光もあるが、このような光も漏れ光としてレンズ部品に照射される。このような漏れ光は、投射レンズ絞り３０を絞ることで遮ることができるため、コントラストを高くすることができるが、このような漏れ光も投射レンズ絞りが温度上昇する原因となる。そして、投射レンズ絞りが温度上昇すると、近傍に配置された投射レンズのレンズ部品１９ａ、１９ｂ、２０ａ、２０ｂも温度上昇してしまうことになり、レンズ部品の屈折率が変化し、投射画像の解像度が劣化したり、ピントずれが発生する懸念が生じる。なお、照明系絞りの絞り羽根２５のみを絞った場合と、投射レンズ絞り３０のみを絞った場合とを比較すると、投射レンズ絞り３０は、前述の漏れ光に加え液晶表示素子で発生する回折光も遮光できるため、後者の方がコントラスト値は高くなるといえる。
【００２８】
一方、図３（ｂ）に示すように、投射レンズ絞り３０に加えて絞り羽根２５も絞ると、色分離合成系に送られる光束が減少するため、投射レンズ絞りが遮る光量が減少し、投射レンズ絞りの温度上昇を低減することができる。さらに、照明系絞りである絞り羽根２５を絞ることで、フライアイレンズから漏れた漏れ光や、偏光ビームスプリッタからの漏れ光も遮ることもできる。したがって、照明光学系絞り２５を絞ることにより、投射画像のコントラストを高くするとともに、投射レンズの温度上昇によるレンズ部品の屈折率変化や投射画像の解像度の劣化やピントずれの発生を防止することができる。
【００２９】
ところで、動画のような明るい画像と暗い画像が適宜切り替わるような映像を投射するプロジェクタにおいては、コントラストやダイナミックレンジを広げるために、適宜投射画像に合わせて絞りの調整を行う必要がある。投射レンズ絞り３０は、映像のフレームに合わせて高速に駆動することができる。しかしながら、図３からわかるように、照明光学系の絞り羽根２５は、開閉する幅が投射レンズ絞り３０に比べて大きいため、映像のフレーム単位で開閉を行うことが困難である。すなわち、投射レンズ絞り３０の全開状態から全閉状態に移行するのにかかる時間は、照明光学系の絞り羽根２５の全開状態から全閉状態に移行するのにかかる時間よりも短いといえる。さらに、たとえ高速に駆動したとしても、絞り羽根２５自体の重力が大きいため慣性力が大きくなり、停止精度が劣る可能性が高い。
【００３０】
そのため照明光学系の絞り羽根２５は、明るい画像と暗い画像が切り替わってもリアルタイムに開閉することができず、数フレーム分のタイムラグが生じてしまう可能性がある。このようなタイムラグが画像に切り替わった際に頻繁に生じると、視聴者が違和感を感じてしまうことになる。すなわち照明光学系の絞り羽根２５は極力開閉を行わないように制御することが好ましいといえる。
【００３１】
以上をふまえ、本発明においては、映像に即したコントラスト制御をタイムラグなく行うとともに、投射レンズの温度上昇を防止するために以下のような絞り制御を行うことで、極力視聴者が違和感を感じないようにすることができる。
【００３２】
図４は、絞り制御処理を説明するためのフローチャートである。図４のフローチャートに示す処理は、プロジェクタ装置１００の制御ユニット１２０が制御手段として機能することにより実現される。以下のような制御は、フレーム周波数の周期で行ってもよいし、投射レンズの開閉にかかる時間単位で行ってもよい。
【００３３】
Ｓ４０１では、制御ユニット１２０の輝度解析手段４０が、入力された映像信号の輝度ヒストグラムを解析し、映像信号の輝度を示す情報（輝度情報）を取得する。Ｓ４０２では、制御ユニット１２０のプロジェクタ制御手段３１が、輝度を示す情報をもとに、映像信号が暗い画像であるか否かを判断する。例えば、輝度ヒストグラムの０〜２０の輝度範囲のデータ個数が８０％以上のときに暗い画像であるとし、データ個数が８０％未満のときに明るい画像と判断することができる。Ｓ４０２で明るい画像であると判断された場合には、絞り制御は不要であるため、Ｓ４０４に進み、絞りが絞られている場合には、照明側絞りの絞り羽根２５と投射レンズ側絞りの投射レンズ絞り３０を適宜開く。そしてＳ４０７に進み、入力される映像信号が終了しているか判断し、まだ映像信号が入力されている場合には、Ｓ４０１に戻る。
【００３４】
一方、Ｓ４０２において、投射される画像は暗い画像であると判断された場合には、Ｓ４０３に進み、映像に即したコントラスト制御を行えるように、投射レンズ側絞りの投射レンズ絞り３０を絞る。なお、プロジェクタ制御手段３１は、投射レンズ絞り３０を絞っている間は、映像信号の輝度ガンマ値を電気的に変化させ、輝度値にゲインをかけたものを液晶表示素子１１へと出力するようにする。すなわち、入力された映像信号の輝度値より高い輝度値で映像が被投射面に投射されるように強調する補正がされた信号を液晶表示素子１１へ出力する。これにより、ダイナミックレンジを拡張することができ、暗い画像の黒の部分はより暗くなり、それ以外の部分の画像はゲインがかけられているので、実質的なコントラストを向上させることができる。すなわち、投射レンズ絞り３０と連動して画像調整も行うことで、コントラストとダイナミックレンジを向上させる画質改善を行うことができる。
【００３５】
Ｓ４０５では、制御ユニット１２０のプロジェクタ制御手段が、投射レンズ近傍に設けられた温度検知手段３２で取得された温度が予め設定された閾値以上であるかを判断する。ここで設定される閾値温度は、投射レンズ部品の屈折率が変化しない許容可能な上限温度を設定しておくことが好ましい。Ｓ４０５で温度が閾値以上であると判断された場合には、このままの状態だと投射レンズ側絞りが熱せられて投射レンズ部品の屈折率が変化してしまう可能性があるため、Ｓ４０６に進み照明側絞りである絞り羽根２５を絞る。これにより色分離合成系に送られる光束が減少するため、投射レンズ絞りが遮る光量が減少し、投射レンズ絞りの温度上昇を防止することができる。Ｓ４０５で温度が閾値以上ではないと判断された場合には、Ｓ４０７に進み、映像信号が入力されているか否か判断し、まだ映像信号が入力されている場合には、Ｓ４０１に戻る。
【００３６】
このように、温度検知手段で検知された温度に応じて照明光学系側の絞りを絞ることにより、必要なタイミングに照明光学系側の絞りを絞ることができる。すなわち、投射レンズが昇温してしまうことで投射画像の品位が低下することを防止しつつも、高コントラストな映像を投射することができるプロジェクタ装置を提供することができる。
【００３７】
なお、本実施形態においては、輝度ヒストグラムの数値及び温度の閾値に応じて絞りを制御する二段階の制御を行う例を用いて説明を行ったが、段階的に絞り制御を行うようにしてもよい。このとき、両絞りの絞り量（開口の大きさ）を調整することで、段階的に絞り制御を行うことができる。
【００３８】
また、本実施形態において照明側絞りの絞り制御は、投射レンズ近傍に設けられた温度検知手段の検知結果に応じて行ったが、温度検知手段のかわりに光量検知手段を用いてもよい。その場合には、所定以上の光量の照射が所定時間続いており、投射レンズ絞りの温度が上昇していると判断される場合に、照明側絞りを絞るように制御すればよい。
【００３９】
また、本実施形態においては、図５に示すようにフライアイレンズ３、フライアイレンズ４は均等に光を分割し、光源から出射された光束が円形形状となるように調整して色分離合成系へと送る照明光学系の例を用いて説明を行った。しかし、光源から出射される光束が楕円形状となるような調整が行われた照明光学系の場合にも同じように制御することができる。このような照明光学系の場合には、照明側絞りを楕円形状の短辺側に絞りの開閉方向を設定することにより、照明光学系の移動量を少なくすることができるため、照明光学系の開閉にかかる時間を短くすることができる。これにより、映像の切り替わりとタイムラグなく照明光学系の絞りを制御することができ、視聴者が感じる違和感を低減することができる。
【００４０】
なお、本実施形態においては、プロジェクタ装置１００の制御ユニット１２０が制御する例を用いて説明したが、投射レンズにも制御部を設け、制御ユニット１２０からの指示に応じて投射レンズの制御部で細かな絞りの制御を行うようにしてもよい。
【００４１】
（第２の実施形態）
本実施形態においては、第１の実施形態と異なるところを中心に説明を行い、同じ部分については説明を省略する。
【００４２】
第１の実施形態においては、Ｓ４０６において照明側絞りが絞られると、投射レンズ側絞りが絞られている間は、投射レンズ近傍の温度が閾値以上ではなくなっても照明側絞りを絞られている状態としておく例を説明した。しかし、温度が閾値以上ではなくなった場合に、照明側絞りを開いてもよい。
【００４３】
図７は、本実施形態に係る絞りの制御処理を説明するためのフローチャートである。図７のフローチャートに示す処理は、プロジェクタ装置１００の制御ユニット１２０が制御手段として機能することにより実現される。以下のような制御は、フレームの周期で行ってもよいし、投射レンズの開閉にかかる時間単位で行ってもよい。
【００４４】
図７のＳ７０１〜Ｓ７０７については、図４のＳ４０１〜Ｓ４０７と同様であるため説明を省略する。
【００４５】
Ｓ７０８では、Ｓ７０５で温度が閾値以上ではないと判断された場合に、照明光学系絞りの絞り羽根２５が絞られているときには、照明光学系絞りの絞り羽根２５を開くように制御する。その後、Ｓ７０７に進み、入力される映像信号が終了しているか判断し、まだ映像信号が入力されている場合には、Ｓ７０１に戻る。
【００４６】
本実施形態においても、温度検知手段で検知された温度に応じて照明光学系絞りの絞り羽根２５を絞ることにより、必要なタイミングに照明光学系側の絞りを絞ることができる。すなわち、投射レンズが昇温してしまうことで投射画像の品位が低下することを防止しつつも、高コントラストな映像を投射することができるプロジェクタ装置を提供することができる。
【符号の説明】
【００４７】
１  光源ランプ
１１  液晶表示素子（Ｇ）
１５  液晶表示素子（Ｒ）
１７  液晶表示素子（Ｂ）
２５  絞り羽根
３０  投射レンズ絞り
３２  検知手段
１２０  制御ユニット（制御手段）
２００  投射光学系（投射レンズ）
【図１】
2020030381.tif 000003
【図２】
2020030381.tif 000004
【図３】
2020030381.tif 000005
【図４】
2020030381.tif 000006
【図５】
2020030381.tif 000007
【図６】
2020030381.tif 000008
【図７】
2020030381.tif 000009